(57)【要約】  【課題】電源を持たない電子機器が紛失したり盗難された場合に効果的に対処することができる、電子機器、管理サーバ、管理システム、および管理方法を提供する。  【解決手段】  管理システムは、アクセス機器１００と電子機器２００と管理サーバ３００とから構成されている。アクセス機器１００は、ＵＳＢ接続端子、メモリーカードスロット等を持つ端末機器である。電子機器２００は、メモリースティック（商品名）等の電源を持たない電子機器である。管理サーバ３００は、主に、電子機器２００の識別用データの認証を行う装置である。この管理システムにより、電源を持たない電子機器が紛失したり盗難された場合に効果的に対処することができる。【選択図】        図１
2006031244.tif 000002
【特許請求の範囲】
【請求項１】
電源を持たない電子機器であって、
位置を検出するための位置検出手段と、
外部からの電源供給を検出する電源供給検出手段と、
データを送受信する送受信手段と、
上記電源供給検出手段により電源供給を検出した際、機器自体を識別する識別用データと上記位置検出手段が検出した位置情報とを上記送受信手段を介して上記管理サーバに送信させる制御手段と
を備える電子機器。
【請求項２】
上記制御手段は、管理サーバへのアクセス機器からの電源供給を検出した際、上記識別用データと上記位置検出手段が検出した位置情報とを上記送受信手段により上記アクセス機器に送信した後、当該アクセス機器を介して上記管理サーバに送信させることを特徴とする請求項１記載の電子機器。
【請求項３】
電源を持たない電子機器であって、
外部からの電源供給を検出する電源供給検出手段と、
管理サーバへアクセス可能なアクセス機器にデータを送信する送信手段と、
上記電源供給手段により電源供給を検出した際に、機器自体を識別する識別用データと上記アクセス機器のＩＰアドレスを上記管理サーバに送信させるように制御する制御手段と
からなる電子機器。
【請求項４】
さらに位置を検出するための位置検出手段を有し、
上記制御手段は、電源供給を検出した際に、上記識別用データと上記アクセス機器のＩＰアドレスと上記位置検出手段が検出した位置情報とを上記管理サーバに送信させるように制御することを特徴とする請求項３記載の電子機器。
【請求項５】
電源を持たない電子機器の管理システムの管理サーバであって、
電子機器に対する電源供給の際に、機器自体を識別する識別用データと位置検出手段が検出した位置情報とをアクセス機器から受信し、受信した上記識別用データと上記位置情報とが記憶される手段を備えることを特徴とする管理サーバ。
【請求項６】
電源を持たない電子機器の管理システムの管理サーバであって、
電子機器に対する電源供給の際に、機器自体を識別する識別用データとアクセス機器のＩＰアドレスとをアクセス機器から受信し、受信した上記識別用データと上記ＩＰアドレスとが記憶される手段を備えることを特徴とする管理サーバ。
【請求項７】
上記識別用データの認証を行い、認証した結果を上記アクセス機器に送信することを特徴とする請求項５または請求項６記載の管理サーバ。
【請求項８】
電源を持たない電子機器の管理システムであって、
位置を検出するための位置検出手段と、
外部からの電源供給を検出する電源供給検出手段と、
管理サーバにアクセス可能なアクセス機器にデータを送受信する送受信手段と、
上記電源供給検出手段により電源供給を検出した際、機器自体を識別する識別用データと上記位置検出手段が検出した位置情報とを上記送受信手段を介して上記アクセス機器に送信させる制御手段とを備える電子機器と、
上記アクセス機器から送信される上記識別用データと上記位置情報とを受信する受信手段と、
受信される上記識別用データと上記位置情報とを記録する手段とを備える管理サーバと
から構成される管理システム。
【請求項９】
上記制御手段は、電子機器に対する電源供給の後、管理サーバが上記識別用データの認証を行う前に、上記識別用データと上記位置検出手段が検出した位置情報とをアクセス機器を介して管理サーバに送信させることを特徴とする請求項８記載の管理システム。
【請求項１０】
上記管理サーバは、受信した上記識別用データの認証を行う手段と、
上記管理サーバによる上記識別用データの認証が成立する場合にのみ、上記アクセス機器による上記電子機器に対するアクセスを可能とする手段とを備えることを特徴とする請求項８記載の管理システム。
【請求項１１】
電源を持たない電子機器の管理システムであって、
外部からの電源供給を検出する電源供給検出手段と、
管理サーバにアクセス可能なアクセス機器にデータを送受信する送受信手段と、
上記電源供給検出手段により電源供給を検出した際、機器自体を識別する識別用データと上記アクセス機器のＩＰアドレスとを上記送受信手段を介して上記アクセス機器に送信させる制御手段とを備える電子機器と、
上記アクセス機器から送信される上記識別用データと上記アクセス機器のＩＰアドレスとを受信する受信手段と、
受信される上記識別用データと上記ＩＰアドレスとを記録する手段とを備える管理サーバと
から構成される管理システム。
【請求項１２】
上記制御手段は、電子機器に対する電源供給の後、管理サーバが上記識別用データの認証を行う前に、上記識別用データと上記アクセス機器のＩＰアドレスとアクセス機器を介して管理サーバに送信させることを特徴とする請求項１１記載の管理システム。
【請求項１３】
上記管理サーバは、受信した上記識別用データの認証を行う手段と、
上記管理サーバによる上記識別用データの認証が成立する場合にのみ、上記アクセス機器による上記電子機器に対するアクセスを可能とする手段とを備えることを特徴とする請求項１１記載の管理システム。
【請求項１４】
さらに位置を検出するための位置検出手段を有し、
上記電源供給検出手段により電源供給を検出した際、上記識別用データと上記位置検出手段が検出した位置情報と上記アクセス機器のＩＰアドレスとを上記送受信手段を介して上記アクセス機器に送信させる制御手段とを備える電子機器と、
上記アクセス機器から送信される上記識別用データと上記位置情報と上記アクセス機器のＩＰアドレスとを受信する受信手段と、
受信される上記識別用データと上記位置情報と上記アクセス機器のＩＰアドレスとを記録する手段とを備える管理サーバとから構成される請求項１１記載の管理システム。
【請求項１５】
上記制御手段は、電子機器に対する電源供給の後、管理サーバが上記識別用データの認証を行う前に、上記識別用データと上記位置情報と上記アクセス機器のＩＰアドレスとをアクセス機器を介して管理サーバに送信させることを特徴とする請求項１４記載の管理システム。
【請求項１６】
上記管理サーバは、受信した上記識別用データの認証を行う手段と、
上記管理サーバによる上記識別用データの認証が成立する場合にのみ、上記アクセス機器による上記電子機器に対するアクセスを可能とする手段とを備えることを特徴とする請求項１４の管理システム。
【請求項１７】
電源を持たない電子機器の管理方法であって、
電子機器に対する電源供給の後、管理サーバが機器自体を識別する識別用データの認証を行う前に、上記識別用データと上記位置検出手段が検出した位置情報とをアクセス機器を介して管理サーバに送信するステップと、
管理サーバが、受信した上記識別用データと上記位置情報とを記録するステップと
を備えることを特徴とする管理方法。
【請求項１８】
電源を持たない電子機器の管理方法であって、
電子機器に対する電源供給の後、管理サーバが機器自体を識別する識別用データの認証を行う前に、上記識別用データとアクセス機器のＩＰアドレスとをアクセス機器を介して管理サーバに送信するステップと、
管理サーバが、受信した上記識別用データと上記ＩＰアドレスとを記録するステップと
を備えることを特徴とする管理方法。
【請求項１９】
上記管理サーバが、受信した上記識別用データの認証を行うステップと、
上記管理サーバによる上記識別用データの認証が成立する場合にのみ、上記アクセス機器による上記電子機器に対するアクセスを可能とするステップとを備えることを特徴とする請求項１７または請求項１８記載の管理方法。
【発明の詳細な説明】
【技術分野】
【０００１】
この発明は、メモリーカードのように、それ自体が電源を持たない電子機器、管理サーバ、管理システム、および管理方法に関する。
【背景技術】
【０００２】
近年、メモリースティック（商品名）等の電源を持たない電子機器は、記憶容量が増大しており、また、高価なものになっている。したがって、これらのデータの管理は重要であり、かつ紛失等の場合の対策も重要となってきている。例えば、特許文献１には、紛失したり盗難された情報処理機器を速やかに回収することができ、かつ機密保持対策を施すことができるセキュリティシステムが記載されている。このセキュリティシステムは、ノートＰＣ（Personal Computer）等の電源を持つ情報処理機器の中に、位置検出器としてのＧＰＳ(Global Positioning System)を備え、位置情報をメールの送信に関連して管理センターに送信し、その位置を確認することを特徴としている。
【０００３】
【特許文献１】特開２００３−２３４８２８号公報
【発明の開示】
【発明が解決しようとする課題】
【０００４】
特許文献１に記載されているように、携帯電話機、ノートＰＣ等の電源を有する電子機器が紛失したり盗難された場合は、有効な対策が存在している。
【０００５】
しかしながら、電源を持たない電子機器が紛失したり盗難された場合の有効な対策は、存在していない。また、電源を持たない電子機器は、データのアクセスを制限する手段を持たないのが普通であり、第三者に格納されているデータを読まれてしまうおそれがある。
【０００６】
したがって、この発明の目的は、電源を持たない電子機器が紛失したり盗難された場合に効果的に対処することができる、電子機器、管理サーバ、管理システム、および管理方法を提供することにある。
【課題を解決するための手段】
【０００７】
上述した課題を解決するために、この発明の第１の態様は、
電源を持たない電子機器であって、
位置を検出するための位置検出手段と、
外部からの電源供給を検出する電源供給検出手段と、
データを送受信する送受信手段と、
電源供給検出手段により電源供給を検出した際、機器自体を識別する識別用データと位置検出手段が検出した位置情報とを送受信手段を介して管理サーバに送信させる制御手段と
を備える電子機器である。
【０００８】
この発明の第２の態様は、
電源を持たない電子機器であって、
外部からの電源供給を検出する電源供給検出手段と、
管理サーバへアクセス可能なアクセス機器にデータを送信する送信手段と、
電源供給手段により電源供給を検出した際に、機器自体を識別する識別用データとアクセス機器のＩＰアドレスを管理サーバに送信させるように制御する制御手段と
からなる電子機器である。
【０００９】
この発明の第３の態様は、
電源を持たない電子機器の管理システムの管理サーバであって、
電子機器に対する電源供給の際に、機器自体を識別する識別用データと位置検出手段が検出した位置情報とをアクセス機器から受信し、受信した識別用データと位置情報とが記憶される手段を備えることを特徴とする管理サーバである。
【００１０】
この発明の第４の態様は、
電源を持たない電子機器の管理システムの管理サーバであって、
電子機器に対する電源供給の際に、機器自体を識別する識別用データとアクセス機器のＩＰアドレスとをアクセス機器から受信し、受信した識別用データとＩＰアドレスとが記憶される手段を備えることを特徴とする管理サーバである。
【００１１】
この発明の第５の態様は、
電源を持たない電子機器の管理システムであって、
位置を検出するための位置検出手段と、
外部からの電源供給を検出する電源供給検出手段と、
管理サーバにアクセス可能なアクセス機器にデータを送受信する送受信手段と、
電源供給検出手段により電源供給を検出した際、機器自体を識別する識別用データと位置検出手段が検出した位置情報とを送受信手段を介してアクセス機器に送信させる制御手段とを備える電子機器と、
アクセス機器から送信される識別用データと位置情報とを受信する受信手段と、
受信される識別用データと位置情報とを記録する手段とを備える管理サーバと
から構成される管理システムである。
【００１２】
この発明の第６の態様は、
電源を持たない電子機器の管理システムであって、
外部からの電源供給を検出する電源供給検出手段と、
管理サーバにアクセス可能なアクセス機器にデータを送受信する送受信手段と、
電源供給検出手段により電源供給を検出した際、機器自体を識別する識別用データとアクセス機器のＩＰアドレスとを送受信手段を介してアクセス機器に送信させる制御手段とを備える電子機器と、
アクセス機器から送信される識別用データとアクセス機器のＩＰアドレスとを受信する受信手段と、
受信される識別用データとＩＰアドレスとを記録する手段とを備える管理サーバと
から構成される管理システムである。
【００１３】
この発明の第７の態様は、
電源を持たない電子機器の管理方法であって、
電子機器に対する電源供給の後、管理サーバが機器自体を識別する識別用データの認証を行う前に、識別用データと位置検出手段が検出した位置情報とをアクセス機器を介して管理サーバに送信するステップと、
管理サーバが、受信した識別用データと位置情報とを記録するステップと
を備えることを特徴とする管理方法である。
【００１４】
この発明の第８の態様は、
電源を持たない電子機器の管理方法であって、
電子機器に対する電源供給の後、管理サーバが機器自体を識別する識別用データの認証を行う前に、識別用データとアクセス機器のＩＰアドレスとをアクセス機器を介して管理サーバに送信するステップと、
管理サーバが、受信した識別用データとＩＰアドレスとを記録するステップと
を備えることを特徴とする管理方法である。
【発明の効果】
【００１５】
この発明によれば、電源を持たない電子機器のデータのアクセスを制限する事が可能となる。さらに、また、管理サーバに記録された位置情報を確認することにより、紛失したり盗難された電源を持たない電子機器の追跡が可能となる。
【発明を実施するための最良の形態】
【００１６】
以下、この発明の実施の形態について図面を参照して説明する。図１は、この発明による電子機器のネットワークを利用した管理システムの構成を概略的に示す。
【００１７】
この管理システムは、アクセス機器１００と電子機器２００と管理サーバ３００とから構成されている。アクセス機器１００は、ＵＳＢ(Universal Serial Bus)接続端子、メモリーカードスロット等を持つ端末機器である。例えば、ノートＰＣ、ＰＤＡ（Personal Digital Assistant）、携帯電話機、デジタルカメラ等を挙げることができる。また、アクセス機器１００は、電子機器２００のデータを読み書きすることができる機器である。さらに、また、アクセス機器１００は、インターネットに接続可能とされている。
【００１８】
管理サーバ３００は、電子機器２００の識別用データ（以下、ＩＤ(IDentification)と適宜称する）の認証を行う装置である。また、電子機器２００のＩＤと位置情報とＩＰアドレスを記録する装置である。さらに、また、その他の情報の管理を行う装置である。
【００１９】
なお、ＩＤの認証は、管理サーバ３００で、電子機器２００のＩＤが管理サーバに登録されているＩＤと一致しているか否かを判定することにより行われる。一致する場合はＩＤの認証が成立し、一致しない場合はＩＤの認証が成立しない。
【００２０】
管理サーバ３００は、インターネットを通じてアクセス機器からアクセスすることができる。電子機器２００のＩＤは、個々の電子機器ごとに固有なものである。ＩＤは、同じものが存在しないように管理サーバ３００で管理されている。
【００２１】
電子機器２００は、電源を持たない電子機器である。例えば、メモリースティック、ＩＣカードを挙げることができる。電子機器２００は、アクセス機器１００に接続されると、電源がアクセス機器１００から供給される。
【００２２】
図２は、電子機器２００の構成の一例を示す。外部ＩＦ(Inter Face)１は、アクセス機器１００から電源の提供を受け、データを送受信するインターフェースである。電源感知器２は、外部ＩＦ１から供給された電源を検出する。
【００２３】
ＣＰＵ（Central Processing Unit）３は、電子機器２００の制御および演算を行っている。位置検出器４は、電子機器２００の位置情報を検出する機能を有している。電子機器２００の現在位置を検出する手段としては、ＧＰＳで位置を確認する方法、無線基地局から位置を確認する方法がある。また、アクセス機器のＩＰアドレスから、電子機器２００を接続しているアクセス機器を特定する方法がある。
【００２４】
ＥＥＰＲＯＭ(Electrical Erasable Programmable Random Only Memory)５は、電子機器のＩＤとパスワード、およびＷｅｂサーバにアクセスするためのユーザＩＤとパスワードの格納部であり、不揮発性メモリーである。また、書き換えが可能である。ＲＯＭ(Random Only Memory)６は、位置情報を検出するプログラムおよびインターネットに接続を行い管理サーバにアクセスするプログラムが、格納されている。ＲＡＭ（Random Access Memory）７は、ＥＥＰＲＯＭ５のデータとＲＯＭ６のプログラムをロードする記憶部である。補助記憶装置８は電子機器内蔵のデータ記憶部である。
【００２５】
図３は、この発明による管理システムの一連の処理手順を示す。まず、ステップＳ１において、アクセス機器１００に電子機器２００が接続される。電子機器２００が接続されると、アクセス機器１００は、電子機器２００を、例えば、リムーバブルな装置として認識する。
【００２６】
次に、ステップＳ２において、アクセス機器１００から電源が供給され、供給された電源を電子機器２００が検出する。次に、ステップＳ３において、位置情報を位置検出器４が検出する。次に、ステップＳ４において、検出された位置情報を管理サーバ３００にアップロードする。
【００２７】
次に、ステップＳ５において、管理サーバ３００が認証を行う。ステップＳ６において、電子機器２００のＩＤと管理サーバに登録されているＩＤが一致し、ＩＤの認証が成立した場合は、ステップＳ７において、パスワードで認証を行う。パスワードが一致すれば、ステップＳ８に進み電子機器２００のデータのアクセスが可能となる。認証が成立しなかった場合は、ステップＳ１１に進み電子機器２００のデータのアクセスが不可能となり、ステップＳ１２において、アクセス機器１００の画面にエラーメッセージが表示される。
【００２８】
電子機器２００のデータのアクセスが可能な場合（ステップＳ８）は、ステップＳ９において、ＩＤの変更を行うか否かが判定される。ステップＳ９で、ＩＤの変更を行うと判定されるとＩＤの変更（ステップＳ１０）がなされる。ＩＤの変更を行わないと判定されると、ステップＳ１０がスキップされる。なお、ここでのＩＤの変更は、両者のＩＤが変更される。つまり、電子機器２００のＩＤの変更に連動して、管理サーバ３００に登録されているＩＤも変更される。
【００２９】
図４は、電子機器２００が紛失したり盗難された場合の、この発明を実施することによるユーザーの対応手順の処理の流れを示す。まず、ステップＳ２１において、電子機器２００のデータに対するアクセスを防止するために、ユーザーが管理サーバ３００に登録されているＩＤを変更する。管理サーバ３００に登録されているＩＤを変更をするためには、インターネットに接続されているＰＣ等から正しいパスワードを入力することによって、電子機器２００を持たない状態でも、管理サーバ３００にアクセスすることができる。
【００３０】
管理サーバ３００に登録されているＩＤを変更すると、電子機器２００のＩＤと管理サーバ３００に登録されているＩＤが一致せず、ＩＤの認証は成立しないので、紛失しまたは盗難された電子機器２００に、他人がアクセスすることができない。
【００３１】
ステップＳ２２において、ユーザーは管理サーバ３００にアクセスすることによって、管理サーバ３００にアップロードされた位置情報を、確認することができる。
【００３２】
上述したようにＩＤを変更することによって、ユーザーは、電子機器２００のデータに対するアクセスを制限することができる。また、管理サーバ３００において、確認した位置情報に基づいて、紛失しまたは盗難された電子機器２００の追跡が可能である。したがって、この発明は、電子機器２００が紛失したり盗難された場合の効果的な対策となる。
【００３３】
図５は、出荷時、使用時および紛失したり盗難された後の電子機器２００のＩＤおよびパスワード並びに出荷時、使用時および電子機器２００が紛失しまたは盗難された後の管理サーバ３００のＩＤおよびパスワードの一例を示す。なお、説明の便宜上、ＩＤの一例をＡ、Ｂ、Ｃ、パスワードの一例をＸ１、Ｘ２、Ｙ１、Ｙ２と表す。
【００３４】
電子機器ＩＤ１１：Ａは、出荷時の電子機器２００のＩＤである。電子機器パスワード１４：Ｘ１は、出荷時の電子機器２００のパスワードである。管理サーバＩＤ２１：Ａは、出荷時の管理サーバ３００に登録されているＩＤである。管理サーバパスワード２４：Ｙ１は、出荷時の管理サーバ３００のパスワードである。
【００３５】
電子機器ＩＤ１２：Ｂは、使用時の電子機器２００のＩＤである。電子機器パスワード１５：Ｘ２は、使用時の電子機器２００のパスワードである。管理サーバＩＤ２２：Ｂは、出荷時の管理サーバ３００に登録されているＩＤである。管理サーバパスワード２５：Ｙ２は、出荷時の管理サーバ３００のパスワードである。
【００３６】
電子機器ＩＤ１３：Ｂは、電子機器２００が紛失したり盗難された後の電子機器２００のＩＤである。電子機器パスワード１６：Ｘ２は、電子機器２００が紛失しまたは盗難された後の電子機器２００のパスワードである。管理サーバＩＤ２３：Ｂは、電子機器２００が紛失したり盗難された後の管理サーバ３００に登録されているＩＤである。管理サーバパスワード２６：Ｙ２は、電子機器２００が紛失したり盗難された後の管理サーバ３００のパスワードである。
【００３７】
電子機器２００が紛失したり盗難された後は、他のＰＣ等により管理サーバ３００にアクセスして、使用時の管理サーバＩＤ２２：Ｂから、管理サーバＩＤ２３：Ｃに変更することが可能である。
【００３８】
管理サーバ３００に登録されているＩＤのみを変更した後は、紛失したり盗難された電子機器２００と管理サーバ３００に登録されているＩＤは一致しなくなる。その結果、電子機器２００にアクセスの際に、ＩＤの認証は成立しないので、電子機器２００のデータのアクセスを制限することができる。
【００３９】
また、使用時の電子機器パスワード１５：Ｘ２と紛失したり盗難された後の電子機器２００のパスワード１６：Ｘ２は、同じである。電子機器２００が紛失したり盗難された後は、もとの持ち主による電子機器２００のパスワードの変更を行うことができないからである。
【００４０】
例えば、電子機器２００を盗難した者が電子機器２００のパスワードを知っていた場合、電子機器２００のＩＤと管理サーバ３００に登録されているＩＤは、変更されない限り使用時のＩＤであり一致する。したがって、正しいパスワードを入力すれば、電子機器２００にアクセスすることができる。
【００４１】
しかしながら、この発明は、管理サーバ３００に登録されているＩＤのみを変更することができるので、電子機器２００のパスワードが知られてしまった場合でも電子機器２００のデータのアクセスを制限することができる。
【００４２】
図６は、この発明に使用されるアクセス機器１００の操作手順と、表示される画面の一例を示す。電子機器２００がアクセス機器１００に接続されると、アクセス機器１００から、電子機器２００に電源が供給され、電子機器２００は、電源供給を検出する。そして、電子機器２００のプログラムが作動し、アクセス機器１００から管理サーバ３００にアクセスする際に、管理サーバ３００がＩＤの認証を行う。ＩＤの認証中は、メッセージ画面３１が表示される。その結果、認証が成立した場合は、メッセージ画面３２が表示される。認証が成立しなかった場合は、メッセージ画面３３が表示される。
【００４３】
画面３２が表示された後、選択画面３４が表示される。画面３４において、電子機器２００にアクセスするか、管理サーバ３００にアクセスするか選択が可能である。
【００４４】
電子機器２００のアクセスを選択した場合は、パスワード入力画面３５が表示される。正しいパスワードを入力すると、選択画面３７が表示される。画面３７において、アクセスの選択をすることにより、電子機器２００のデータのアクセス、電子機器２００のＩＤの変更および電子機器２００のパスワードの変更を行うことができる。
【００４５】
画面３７において、データのアクセスを選択した場合、図７に示すファイル操作画面４１が表示される。一方の画面４２は、アクセス機器１００のディスクのディレクトリが表示されている。他方の画面４３は、電子機器２００の補助記憶装置８のディレクトリが表示されている。画面４２に表示されたファイル４４は、アクセス機器１００のディレクトリ内に存在している。画面４３に表示されたファイル４５は、電子機器２００の補助記憶装置８のディレクトリ内に存在している。
【００４６】
この画面で、例えば、ファイルをドラッグ・アンド・ドロップすることにより、アクセス機器１００と電子機器２００間で相互にデータの移動を行うことができる。
【００４７】
選択画面３７または選択画面３８において、パスワードの変更を選択した場合は、図８に示すパスワード変更（入力）画面５１が表示される。新しいパスワードを入力することにより、パスワードの変更が可能である。パスワードの変更が完了するとメッセージ画面５２が表示される。
【００４８】
また、ＩＤの変更を選択して、ＩＤの変更を行うことができる。ここでのＩＤの変更は、電子機器のＩＤと管理サーバ３００に登録されているＩＤとが連動して変更するものである。なお、この発明においては、パスワードの変更に加えてＩＤの変更を行うことができるので、セキュリティー効果が高まる。
【００４９】
画面３８において位置情報を選択した場合は、図９に示す位置情報表示画面が表示される。なお、この画面は、電子機器２００を持たない状態で、管理サーバ３００にアクセスすることによっても見ることができる。
【００５０】
項目６１は、出荷時から変更後までの全てのＩＤを表示している。
【００５１】
項目６２を見ることにより、電子機器２００および管理サーバ３００のＩＤの変更をチェックすることができる。数字の０は、電子機器２００および管理サーバ３００の出荷時のＩＤであることを意味している。数字の１は、電子機器２００および管理サーバ３００のＩＤが変更されたことを意味している。数字の２は、管理サーバ３００のＩＤのみが変更されたことを意味している。
【００５２】
項目６３は、検出された位置情報を管理サーバ３００にアップロードした年月日を示す。
【００５３】
項目６４は、検出された位置情報を管理サーバ３００にアップロードした時刻を示す。
【００５４】
項目６５は、検出された位置情報、およびＩＰアドレスを示す。例えば、電子機器２００にアクセスした住所、電子機器２００にアクセスしたアクセス機器１００のＩＰアドレスを示す。
【００５５】
表示された位置情報に基づき、紛失しまたは盗難された電子機器２００の位置を、把握することができる。また、電子機器２００を取得した者や盗難者などを割り出すことができる。なお、ＩＰアドレスからもこれらを割り出すことができる。
【００５６】
なお、正規のユーザーが管理サーバ３００のＩＤを変更した後では、管理サーバ３００のＩＤと電子機器２００のＩＤとは一致しなくなる。位置情報記録における、この問題は、管理サーバ３００がＩＤ変更の履歴を保存することにより解決できる。
【００５７】
また、例えば、紛失した電子機器２００が警察署に届けられているケースで、ユーザーは、位置情報が警察署の位置にあれば、警察署に届けられていることわかるので、安心感を得ることができるという利点もある。
【００５８】
この発明は、上述したこの発明の実施形態に限定されるものでは無く、この発明の要旨を逸脱しない範囲内で様々な変形や応用が可能である。例えば、電子機器機器自体が管理サーバに対するアクセス機能を持つシステムを構成しても良い。電源を持たない電子機器にＩＰアドレスを振り分け、このＩＰアドレスを利用することにより、電源を持たない電子機器を管理することができる。
【図面の簡単な説明】
【００５９】
【図１】この発明による管理システムの構成を示す概略図である。
【図２】電子機器の構造を示すブロック図である。
【図３】この発明による管理システムの一連の処理手順を示すフローチャート図である。
【図４】電子機器が紛失したり盗難されたりした後のこの発明を実施することによるユーザーの対応を示すフローチャート図である。
【図５】電子機器および管理サーバのＩＤおよびパスワードの一例を示す概略図である。
【図６】アクセス機器の操作画面を示す概略図である。
【図７】電源を持たない電子機器にアクセスした際に表示される画面を示す概略図である。
【図８】パスワードを変更する際に表示される画面を示す概略図である。
【図９】位置情報を確認する際に表示される画面を示す概略図である。
【符号の説明】
【００６０】
１・・・外部ＩＦ
２・・・電源感知器
３・・・ＣＰＵ
４・・・位置検出器
５・・・ＥＥＰＲＯＭ
６・・・ＲＯＭ
７・・・ＲＡＭ
８・・・補助記憶装置
１００・・・アクセス機器
２００・・・電子機器
３００・・・管理サーバ
【図１】
2006031244.tif 000003
【図２】
2006031244.tif 000004
【図３】
2006031244.tif 000005
【図４】
2006031244.tif 000006
【図５】
2006031244.tif 000007
【図６】
2006031244.tif 000008
【図７】
2006031244.tif 000009
【図８】
2006031244.tif 000010
【図９】
2006031244.tif 000011